(57)【要約】【課題】複数放送信号の受信器のフィルタ配置【解決手段】上記フィルタ配置は、チューナから放送信号を受信する第１のフィルタと、第１のフィルタの出力に結合された第２のフィルタであって、可変帯域幅応答を有し、復調器の出力を供給するフィルタと、放送信号に応じ、放送信号に応じ、第２のフィルタの可変帯域幅応答を制御するフィルタ制御部とを含む。【選択図】図３
2011205674.tif 000002
【特許請求の範囲】
【請求項１】
複数放送標準受信器配置であって、
複数放送信号のうちの１つを受信するチューナと、
該チューナからの出力を受信するよう結合された第１のフィルタと、
該第１のフィルタの出力に結合された第２のフィルタであって、可変帯域幅応答を有する第２のフィルタと、
前記第２のフィルタからの出力の復調器と、
前記複数放送信号のうちの１つに応じ、前記第２のフィルタの前記可変帯域幅応答を制御するフィルタ制御部とを備えることを特徴とする受信器配置。
【請求項２】
請求項１記載の受信器配置であって、前記第１のフィルタは、受信されたＱＡＭ放送信号及びＡＴＳＣ放送信号を通すことを特徴とする受信器配置。
【請求項３】
請求項２記載の受信器配置であって、前記第２のフィルタは、ＮＴＳＣ放送信号を通すことを特徴とする受信器配置。
【請求項４】
請求項１記載の受信器配置であって、前記第２のフィルタは第１の周波数帯域幅応答及び第２の周波数帯域幅応答を有し、前記第１の周波数帯域幅応答は、前記第１のフィルタの周波数帯域幅応答のものと同様であり、前記第２の周波数帯域幅応答は、前記第１のフィルタの前記周波数帯域幅応答よりも狭いことを特徴とする受信器配置。
【請求項５】
請求項１記載の受信器配置であって、第１の音響フィルタ及び第２の音響フィルタは、ディジタル表面弾性波フィルタであることを特徴とすることを特徴とする受信器配置。
【請求項６】
請求項１記載の受信器配置であって、前記復調器が、前記第２のフィルタからの前記出力のディジタル・フィルタを備えることを特徴とする受信器配置。
【請求項７】
請求項１記載の受信器配置であって、前記チューナが、アナログ放送信号及びディジタル放送信号のチューニング部を備えることを特徴とする受信器配置。
【請求項８】
複数放送信号の受信器のフィルタ配置であって、
チューナから放送信号を受信する第１のフィルタと、
該第１のフィルタの出力に結合された第２のフィルタであって、可変帯域幅応答を有し、復調器の出力を供給する第２のフィルタと、
前記放送信号に応じ、前記第２のフィルタの前記可変帯域幅応答を制御するフィルタ制御部とを備えることを特徴とするフィルタ配置。
【請求項９】
請求項８記載のフィルタ配置であって、前記第１のフィルタは、受信されたＱＡＭ放送信号及びＡＴＳＣ放送信号を通すことを特徴とするフィルタ配置。
【請求項１０】
請求項９記載のフィルタ配置であって、前記第２のフィルタは、ＮＴＳＣ放送信号を通すことを特徴とするフィルタ配置。
【請求項１１】
請求項８記載のフィルタ配置であって、前記第２のフィルタは第１の周波数帯域幅応答及び第２の周波数帯域幅応答を有し、前記第１の周波数帯域幅応答は、前記第１のフィルタの周波数帯域幅応答のものと同様であり、前記第２の周波数帯域幅応答は、前記第１のフィルタの前記周波数帯域幅応答よりも狭いことを特徴とするフィルタ配置。
【請求項１２】
請求項８記載のフィルタ配置であって、第１の表面弾性波フィルタ及び第２の表面弾性波フィルタは、ディジタル表面弾性波フィルタであることを特徴とすることを特徴とするフィルタ配置。
【請求項１３】
複数受信放送標準のうちの１つをフィルタリングする方法であって、
第１の周波数帯域幅応答を有する第１のフィルタによって受信放送信号をフィルタリングする工程であって、
可変帯域幅応答を有する第２のフィルタによって前記第１のフィルタからの出力をフィルタリングする工程と、
前記受信放送信号に応じて前記第２のフィルタの前記可変帯域幅応答を制御する工程と
によって特徴付けられる工程を備えることを特徴とする方法。
【請求項１４】
請求項１３記載の方法であって、前記第２のフィルタからの出力をディジタル・フィルタリングする工程を更に備えることを特徴とする方法。
【請求項１５】
請求項１３記載の方法であって、前記第２のフィルタは第１の周波数帯域幅応答及び第２の周波数帯域幅応答を有し、前記第１の周波数帯域幅応答は、第１の表面弾性波フィルタの周波数帯域幅応答のものと実質的に同様であり、前記第２の周波数帯域幅応答は、前記第１の表面弾性波フィルタの前記周波数帯域幅応答よりも狭いことを特徴とする方法。
【請求項１６】
請求項１３記載の方法であって、前記第２のフィルタは、ＮＴＳＣ放送信号を通す、前記第１のフィルタの帯域幅応答のものと実質的に同様である第１の帯域幅応答と、ＡＴＳＣ放送信号及びＱＡＭ放送信号を通す、前記第１のフィルタの前記帯域幅応答よりも狭い第２の帯域幅応答とを有することを特徴とする方法。
【請求項１７】
請求項１３記載の方法であって、前記第１のフィルタ及び前記第２のフィルタは、ディジタル表面弾性波フィルタを備えることを特徴とする方法。
【発明の詳細な説明】
【技術分野】
【０００１】
本発明は一般に、放送信号受信器に関し、特に、複数放送標準信号を復調する表面弾性波（ＳＡＷ）フィルタ構成に関する。
【背景技術】
【０００２】
複数の放送標準信号（直交振幅変調（ＱＡＭ）、高度テレビジョン方式委員会（ＡＴＳＣ）や全米テレビジョン方式委員会（ＮＴＳＣ）など）を受信することができる現行の受信器の設計は、所望のチャネル選択性を達成するために高価な複数のＳＡＷフィルタを必要とする。
【０００３】
種々の高品位テレビジョン（ＨＤＴＶ）及びセットトップ・ボックス（ＳＴＢ）の設計は、複数の復調器を備えた４個のＳＡＷフィルタを利用してＱＡＭ信号、ＡＴＳＣ信号及びＮＴＳＣ信号を復調するものである。前述の複数のＳＡＷフィルタ復調器の構成図１００を図１に示す。アナログ／ディジタル・チューナ１０１からのディジタル信号は、ＱＡＭ／ＡＴＳＣ復調器１０４に接続された直列のディジタルＳＡＷフィルタ（ディジタルＳＡＷ１（１０２）及びディジタルＳＡＷ２（１０３））の経路に送られる。チューナ１０１からのアナログ信号は、ＮＴＳＣ復調器に結合されたアナログ・ビデオＳＡＷフィルタ１０５及びアナログ・オーディオＳＡＷフィルタ１０６の並列経路に送られる。
【０００４】
他の既知の受信器システムは、図１のものと同様な配置を含む。更なるフィルタリングがディジタル形式で行われ、ＳＡＷフィルタの削減が活用される。更なるディジタル・フィルタリングによって、受信器の全体費用に対して費用的に割り増されることになる。前述のシステムでは、ＳＡＷ１フィルタもＳＡＷ２フィルタも、同じ幅の帯域幅のものである。しかし、特定のモード（ＱＡＭやＡＴＳＣなど）では、更なるディジタル・フィルタリングが必要である。デュアルＳＡＷフィルタ配置を活用する例を、図２の構成図２００によって例示する。チューナ２０１からのディジタル出力が、ディジタルＳＡＷ１（２０２）及びディジタルＳＡＷ２のフィルタの直列経路を通って流れ、この直列経路は、ＱＡＭ／ＡＴＳＣ復調器２０４における更なるディジタル・フィルタリングに出力する。更に、図２のデュアルＳＡＷフィルタ配置を活用する設計は、ＮＴＳＣ復調の場合、ナイキスト勾配ディジタル・フィルタを必要とする。このナイキスト勾配フィルタリングは、更なる所要費用である。
【発明の概要】
【発明が解決しようとする課題】
【０００５】
よって、複数の放送標準信号を復調するうえでの最小限のＳＡＷフィルタの配置に対する必要性が存在している。
【課題を解決するための手段】
【０００６】
複数放送標準受信器の配置は、複数放送信号のうちの１つを受信するチューナと、チューナからの出力を受信するよう結合された第１のフィルタと、第１のフィルタの出力に結合された第２のフィルタであって、可変帯域幅応答を有するフィルタと、第２のフィルタからの出力の復調器と、複数の放送信号のうちの１つに応じ、第２のフィルタの可変帯域幅応答を制御するフィルタ制御部とを含む。
【０００７】
複数放送信号の受信器のフィルタ配置は、チューナから放送信号を受信する第１のフィルタと、第１のフィルタの出力に結合された第２のフィルタであって、可変帯域幅応答を有し、復調器の出力を供給するフィルタと、放送信号に応じ、第２のフィルタの可変帯域幅応答を制御するフィルタ制御部とを含む。
【０００８】
複数受信放送標準信号のうちの１つをフィルタリングする方法は、第１の周波数帯域幅応答を有する第１のフィルタによって受信放送信号をフィルタリングする工程と、可変帯域幅応答を有する第２のフィルタによって第１のフィルタからの出力をフィルタリングする工程と、受信放送信号に応じて第２のフィルタの可変帯域幅応答を制御する工程とを備える。
【図面の簡単な説明】
【０００９】
【図１】複数の復調器を備えた４つのディジタルＳＡＷフィルタを活用してＱＡＭ信号、ＡＴＳＣ信号及びＮＴＳＣ信号を復調する従来技術の受信器の設計の構成図である。
【図２】２つのＳＡＷフィルタを活用した従来技術の受信器配置の構成図である。
【図３】本発明による例示的なＳＡＷフィルタ配置の構成図３００である。
【図４】図３のディジタルＳＡＷ１フィルタ３０２の例示的な周波数応答曲線４００を示す図である。
【図５】図３のディジタルＳＡＷ２フィルタ３０３の応答曲線プロットを示す図である。
【図６】図３のディジタルＳＡＷ１フィルタ及び帯域幅スイッチ可能ディジタルＳＡＷ２フィルタのカスケード接続による別個の２つの周波数応答を示す図である。
【発明を実施するための形態】
【００１０】
本発明の更に完全な理解は、添付図面とともに以下の記載を検討することによって得ることができる。
【００１１】
理解を容易にするよう、添付図面に共通の同一エレメントを表すよう、可能な限り、同じ参照符号を用いている。
【実施例】
【００１２】
図３を参照すれば、本発明による例示的なＳＡＷフィルタ配置の構成図３００を示す。ケーブル出力又はアンテナ出力を介して放送信号を受信するアナログ／ディジタル・チューナ３０１は、ディジタルＳＡＷ１フィルタ（３０２）及びディジタルＳＡＷ２フィルタ（３０３）の直列経路を介してＱＡＭ／ＡＴＳＣ／ＮＴＳＣ放送標準の復調器３０５に出力する。ディジタルＳＡＷ２フィルタは、復調器までもう一度ＳＡＷフィルタ３０３から結合されたＳＡＷスイッチング制御部３０４に応じるスイッチ可能帯域幅を有する。ＮＴＳＣ放送信号に対処する更なるディジタル・フィルタリングは、スイッチ可能帯域幅制御なしの従来技術のデュアルＳＡＷフィルタのものと比較して最小限のものである。
【００１３】
ディジタルＳＡＷ１フィルタ３０２の例示的な周波数応答曲線４００を図４に示す。ディジタルＳＡＷ１周波数応答４０１は、所望のチャネルの上方カットオフ周波数と、下方カットオフ周波数との間で実質的に平坦である。
【００１４】
ディジタルＳＡＷ２フィルタ３０３の応答曲線プロット５００を図５に示す。ディジタルＳＡＷ２フィルタは、一モードにおいて、図４に示すディジタルＳＷ１フィルタのものと同一の応答曲線４０１’を表し、スイッチ・モードにおいて、低減された帯域幅周波数応答５０１を表す。
【００１５】
ディジタルＳＡＷ１フィルタ及び帯域幅スイッチ可能ディジタルＳＡＷ２フィルタをカスケード接続することによって、図６に示すように別個の２つの周波数応答６００がもたらされる。より広い帯域幅の曲線６０１によって、ＮＴＳＣ放送信号の完全帯域幅が（ビデオ及びオーディオを）復調器３０５に流すことが可能になる。より狭い帯域幅の曲線によって、このモードにおける選択性を向上させる一方で、ＱＡＭ標準信号及びＡＴＳＣ標準信号の完全帯域幅が復調器３０５に流れることが可能になる。より狭いＱＡＭ／ＡＴＳＣ帯域幅経路を介してＮＴＳＣ信号を流すことは望ましくない。そうすることは、ＮＴＳＣ音響キャリア（４１．２５Ｈｚ）を除去することになり、それには、スイッチ可能帯域幅ＳＡＷフィルタ設計に対する必要性が要求される。
【００１６】
本発明の教示を組み入れた種々の実施例を本明細書に示し、説明したが、当業者は、こうした教示をなお組み入れることになる他の多くの変形実施例を容易に考え出すことが可能である。
【符号の説明】
【００１７】
３００  ＳＡＷフィルタ配置
【図１】
2011205674.tif 000003
【図２】
2011205674.tif 000004
【図３】
2011205674.tif 000005
【図４】
2011205674.tif 000006
【図５】
2011205674.tif 000007
【図６】
2011205674.tif 000008